(57)【要約】【課題】  録画開始通知表示を見てユーザが期待する録画開始位置の映像と、実際に録画された番組の開始位置映像にズレをより小さくなるようにする。【解決手段】  録画装置は、録画の動作を開始したことを示すメッセージを映像表示器１１４に表示する（ステップＳ４０２）。実際に番組を記録媒体に記録開始したことを検出するか、実際に番組を記録媒体に記録開始したであろう時間経過後に、番組を記録媒体に記録開始したことをユーザに通知する（ステップＳ４０３）。【選択図】      図４
2008067112.tif 000002
【特許請求の範囲】
【請求項１】
番組を受信する受信手段と、
前記受信した番組を記録する録画手段と、
前記番組を記録媒体に記録開始したことを検出する検出手段と、
前記検出手段が前記記録開始したことを検出した後に、前記番組を記録媒体に記録開始したことをユーザに通知する通知手段とを備えたことを特徴とする録画装置。
【請求項２】
番組を受信する受信手段と、
前記受信された番組を記録する録画手段と、
受信機内部での映像処理による遅延を考慮した待ち時間経過後に、前記番組を記録媒体に記録開始したことをユーザに通知する通知手段とを備えたことを特徴とする録画装置。
【請求項３】
更に、前記記録媒体への記録および再生同時処理によるタイムシフト再生の準備ができたときにこの準備ができたことを示すメッセージを表示する表示手段を備えたことを特徴とする請求項１または２に記載の録画装置。
【請求項４】
更に、前記表示したメッセージを所定時間経過後に簡略化したメッセージとするように制御する制御手段を備えたことを特徴とする請求項３記載の録画装置。
【請求項５】
受信手段により番組を受信し、
録画手段により前記受信した番組を記録し、
検出手段により前記番組を記録媒体に記録開始したことを検出し、
通知手段により前記検出手段が前記記録開始したことを検出した後に、前記番組を記録媒体に記録開始したことをユーザに通知することを特徴とする録画方法。
【請求項６】
受信手段により番組を受信し、
録画手段により前記受信された番組を記録し、
通知手段により受信機内部での映像処理による遅延を考慮した待ち時間経過後に、前記番組を記録媒体に記録開始したことをユーザに通知することを特徴とする録画方法。
【発明の詳細な説明】
【技術分野】
【０００１】
この発明は、録画装置および録画方法に関し、特に録画を開始したことを示す情報を通知する録画装置および録画方法に関する。
【背景技術】
【０００２】
近年普及しつつあるデジタル放送受信機には、ＨＤＤ等の録画デバイスを搭載して録画機能を実現している製品や、外部の録画機器と接続することで録画機能を実現している製品などがある。
【０００３】
一般に、これら録画機能を持ったデジタル放送受信機には、画面上で番組を視聴している状態で、「録画」キーなどの操作により、視聴している番組の録画を行うことが可能である。また、このような操作で録画を開始した場合、アイコン等画面上のＧＵＩ表示や、ＬＥＤなどで録画操作を受け付けたことをユーザに認識させている。
【０００４】
しかしながら、一般にデジタル放送受信機においては、受信機内部での映像処理による遅延があるため、画面に表示されている映像と録画開始指示により実際に録画番組として残る映像信号にはズレが発生する。このため録画操作に対して直ぐに録画開始通知表示を行うと、録画開始通知表示を見てユーザが期待する録画開始位置の映像と、実際に録画された番組の開始位置映像にズレが発生してしまうという問題があった。
【０００５】
なお、従来の記録装置として、バッファリングディレイが大きくとも、マニュアル録画時におけるフレームデータの欠落を避けることができる記録装置が知られている（例えば、特許文献１参照）。
【特許文献１】特開２００４−００７５８１号公報
【発明の開示】
【発明が解決しようとする課題】
【０００６】
このように従来の録画装置および録画方法においては、録画開始通知表示を見てユーザが期待する録画開始位置の映像と、実際に録画された番組の開始位置映像にズレが発生してしまうという問題があった。
【０００７】
この発明は、録画開始通知表示を見てユーザが期待する録画開始位置の映像と、実際に録画された番組の開始位置映像にズレをより小さくなるようにすることを目的とする。
【課題を解決するための手段】
【０００８】
上記の目的を達成するために、この発明においては、番組を受信する受信手段と、前記受信した番組を記録する録画手段と、前記番組を記録媒体に記録開始したことを検出する検出手段と、前記検出手段が前記記録開始したことを検出した後に、前記番組を記録媒体に記録開始したことをユーザに通知する通知手段とを備えたことを特徴とする録画装置を提供する。
【０００９】
また、上記の目的を達成するために、この発明においては、番組を受信する受信手段と、前記受信された番組を記録する録画手段と、受信機内部での映像処理による遅延を考慮した待ち時間経過後に、前記番組を記録媒体に記録開始したことをユーザに通知する通知手段とを備えたことを特徴とする録画装置を提供する。
【００１０】
また、上記の目的を達成するために、この発明においては、受信手段により番組を受信し、録画手段により前記受信した番組を記録し、検出手段により前記番組を記録媒体に記録開始したことを検出し、通知手段により前記検出手段が前記記録開始したことを検出した後に、前記番組を記録媒体に記録開始したことをユーザに通知することを特徴とする録画方法を提供する。
【００１１】
また、上記の目的を達成するために、この発明においては、受信手段により番組を受信し、録画手段により前記受信された番組を記録し、通知手段により受信機内部での映像処理による遅延を考慮した待ち時間経過後に、前記番組を記録媒体に記録開始したことをユーザに通知することを特徴とする録画方法を提供する。
【００１２】
なお、装置に係る本発明は方法に係る発明としても成立し、方法に係る本発明は装置に係る発明としても成立する。
また、装置または方法に係る本発明は、コンピュータに当該発明に相当する手順を実行させるための（あるいはコンピュータを当該発明に相当する手段として機能させるための、あるいはコンピュータに当該発明に相当する機能を実現させるための）プログラムとしても成立し、該プログラムを記録したコンピュータ読み取り可能な記録媒体としても成立する。
【発明の効果】
【００１３】
この発明によれば、録画開始通知表示を見てユーザが期待する録画開始位置の映像と、実際に録画された番組の開始位置映像にズレをより小さくすることができる。
【発明を実施するための最良の形態】
【００１４】
以下、図面を参照しながら本発明の実施形態について説明する。
図１は、この発明を適用したデジタルテレビジョン放送受信装置１１１の外観と、このデジタルテレビジョン放送受信装置１１１を中心として構成されるネットワークシステムの一例を概略的に示している。
【００１５】
すなわち、デジタルテレビジョン放送受信装置１１１は、主として、薄型のキャビネット１１２と、このキャビネット１１２を起立させて支持する支持台１１３とから構成されている。そして、キャビネット１１２には、例えばＳＥＤ（Surface-conduction Electron-emitter Display）表示パネル，液晶表示パネル等でなる平面パネル型の映像表示器１１４、スピーカ１１５、操作部１１６、リモートコントローラ１１７から送信される操作情報を受ける受光部１１８等が設置されている。
【００１６】
また、このデジタルテレビジョン放送受信装置１１１には、例えばＳＤ（Secure Digital）メモリカード、ＭＭＣ（Multimedia Card）及びメモリスティック等の第１のメモリカード１１９が着脱可能となっており、この第１のメモリカード１１９に対して番組や写真等の情報の記録再生が行なわれるようになっている。
【００１７】
さらに、このデジタルテレビジョン放送受信装置１１１には、例えば契約情報等の記録された第２のメモリカード（ＩＣカード）１２０が着脱可能となっており、この第２のメモリカード１２０に対して情報の記録再生が行なわれるようになっている。
【００１８】
また、このデジタルテレビジョン放送受信装置１１１は、第１のＬＡＮ（Local Area Network）端子１２１、第２のＬＡＮ端子１２２、ＵＳＢ（Universal Serial Bus）端子１２３及びｉ．ＬＩＮＫ端子１２４を備えている。
【００１９】
このうち、第１のＬＡＮ端子１２１は、ＬＡＮ対応ＨＤＤ専用ポートとして使用されるもので、接続されたＮＡＳ（Network Attached Storage）であるＬＡＮ対応のＨＤＤ１２５に対して、イーサネット（登録商標）により情報の記録再生を行なうために使用される。
【００２０】
このように、ＬＡＮ対応ＨＤＤ専用ポートとしての第１のＬＡＮ端子１２１を設けることにより、他のネットワーク環境やネットワーク使用状況等に影響されることなく、ＨＤＤ１２５に対してハイビジョン画質による番組の情報記録を安定して行なうことができる。
【００２１】
また、第２のＬＡＮ端子１２２は、イーサネット（登録商標）を用いた一般的なＬＡＮ対応ポートとして使用されるもので、例えばハブ１２６を介して、ＬＡＮ対応のＨＤＤ１２７、コンテンツサーバ１２８、ＨＤＤ内蔵のＤＶＤ（Digital Versatile Disk）レコーダ１２９等の機器を接続し、これらの機器と情報伝送を行なうために使用される。
【００２２】
なお、コンテンツサーバ１２８については、家庭内ネットワークにおいてコンテンツのサーバ機器として動作するための機能を持ち、さらにコンテンツのアクセスに必要なＵＲＩ（Uniform Resource Identifier）情報を提供するサービスを備えたＵＰｎＰ（ユニバーサルプラグアンドプレイ）対応機器として構成される。
【００２３】
なお、ＤＶＤレコーダ１２９については、第２のＬＡＮ端子１２２を介して通信されるデジタル情報が制御系のみの情報であるため、デジタルテレビジョン放送受信装置１１１との間でアナログの映像及び音声情報を伝送するために、専用のアナログ伝送路１３０を設ける必要がある。
【００２４】
さらに、この第２のＬＡＮ端子１２２は、ハブ１２６に接続されたブロードバンドルータ１３１を介して、例えばインターネット等のネットワーク１３２に接続し、このネットワーク１３２を介してコンテンツサーバ１３３や携帯電話１３４等と情報伝送を行なうために使用される。
【００２５】
なお、コンテンツサーバ１３３についてはコンテンツのサーバ機器として動作するための機能を持ち、さらにコンテンツのアクセスに必要なＵＲＩ情報を提供するサービスを備えたＵＰｎＰ対応機器として構成される。
【００２６】
また、上記ＵＳＢ端子１２３は、一般的なＵＳＢ対応ポートとして使用されるもので、例えばハブ１３５を介して、携帯電話１３６、デジタルカメラ１３７、メモリカードに対するカードリーダ／ライタ１３８、ＨＤＤ１３９、キーボード１４０等のＵＳＢ機器を接続し、これらのＵＳＢ機器と情報伝送を行なうために使用される。
【００２７】
さらに、上記ｉ．ＬＩＮＫ端子１２４は、例えばＡＶ−ＨＤＤ１４１、Ｄ（Digital）−ＶＨＳ（Video Home System）１４２等をシリアル接続し、これらの機器と情報伝送を行なうために使用される。
【００２８】
図２は、上記したデジタルテレビジョン放送受信装置１１１の主要な信号処理系を示している。
すなわち、ＢＳ／ＣＳデジタル放送受信用のアンテナ２４３で受信した衛星デジタルテレビジョン放送信号は、入力端子２４４を介して衛星デジタル放送用のチューナ２４５ａに供給される。
【００２９】
チューナ２４５ａは、制御部２６１からの制御信号により所望のチャンネルの放送信号を選局し、この選局された放送信号をＰＳＫ（Phase Shift Keying）復調器２４５ｂに出力する。
【００３０】
ＰＳＫ復調器２４５ｂは、制御部２６１からの制御信号により、チューナ２４５ａで選局された放送信号を復調し、所望の番組を含んだトランスポートストリームを得て、ＴＳ復号器２４５ｃに出力する。
【００３１】
ＴＳ復号器２４５ｃは、制御部２６１からの制御信号によりトランスポートストリーム（ＴＳ）多重化された信号のＴＳ復号処理を行い、所望の番組のデジタルの映像信号及び音声信号をデパケットすることにより得たＰＥＳ（Packetized Elementary Stream）を信号処理部２４７内のＳＴＤバッファ２４７ｆへ出力する。
【００３２】
また、ＴＳ復号器２４５ｃは、デジタル放送により送られているセクション情報を信号処理部２４７内のセクション処理部２４７ｈへ出力する。
また、地上波放送受信用のアンテナ２４８で受信した地上デジタルテレビジョン放送信号は、入力端子２４９を介して地上デジタル放送用のチューナ２５０ａに供給される。
【００３３】
チューナ２５０ａは、制御部２６１からの制御信号により所望のチャンネルの放送信号を選局し、この選局された放送信号をＯＦＤＭ（Orthogonal Frequency Division Multiplexing）復調器２５０ｂに出力する。
【００３４】
ＯＦＤＭ復調器２５０ｂは、制御部２６１からの制御信号により、チューナ２５０ａで選局された放送信号を復調し、所望の番組を含んだトランスポートストリームを得て、ＴＳ復号器２５０ｃに出力する。
【００３５】
ＴＳ復号器２５０ｃは、制御部２６１からの制御信号によりトランスポートストリーム（ＴＳ）多重化された信号のＴＳ復号処理を行い、所望の番組のデジタルの映像信号及び音声信号をデパケットすることにより得たＰＥＳ（Packetized Elementary Stream）を信号処理部２４７内のＳＴＤバッファ２４７ｆへ出力する。
【００３６】
また、ＴＳ復号器２５０ｃは、デジタル放送により送られているセクション情報を信号処理部２４７内のセクション処理部２４７ｈへ出力する。
ここで、上記信号処理部２４７は、テレビ視聴時には、ＴＳ復号器２４５ｃおよびＴＳ復号器２５０ｃからそれぞれ供給されたデジタルの映像信号及び音声信号に対して、選択的に所定のデジタル信号処理を施し、グラフィック処理部２５４及び音声処理部２５５に出力している。また、信号処理部２４７は、コンテンツ再生時には、制御部２６１から入力されたコンテンツの再生信号を選択し、所定のデジタル信号処理を施し、グラフィック処理部２５４及び音声処理部２５５に出力している。
【００３７】
制御部２６１には、信号処理部２４７から、番組を取得するための各種データや電子番組ガイド（ＥＰＧ）情報，番組属性情報（番組ジャンル等），字幕情報等（サービス情報、ＳＩやＰＳＩ）が入力されている。
【００３８】
制御部２６１は、これら入力された情報からＥＰＧ，字幕を表示するため画像生成処理を行い、この生成した画像情報をグラフィック処理部２５４へ出力する。
セクション処理部２４７ｈは、ＴＳ復号器２４５ｃ（２５０ｃ）から入力されたセクション情報の中から、番組を取得するための各種データや電子番組ガイド（ＥＰＧ）情報，番組属性情報（番組ジャンル等），字幕情報等（サービス情報、ＳＩやＰＳＩ）を制御部２６１へ出力する。
【００３９】
グラフィック処理部２５４は、（１）信号処理部２４７内のＡＶデコーダ２４７ｇから供給されるデジタルの映像信号と、（２）ＯＳＤ（On Screen Display）信号生成部２５７で生成されるＯＳＤ信号と、（３）データ放送による画像データと、（４）制御部２６１により生成されたＥＰＧ，字幕信号とを合成して映像処理部２５８へ出力する機能を有する。
【００４０】
また、字幕放送による字幕を表示するとき、グラフィック処理部２５４は、制御部２６１からの制御による字幕情報に基づき、映像信号上に字幕情報を重畳する処理を行う。
【００４１】
グラフィック処理部２５４から出力されたデジタルの映像信号は、映像処理部２５８に供給される。この映像処理部２５８は、入力されたデジタルの映像信号を、前記映像表示器１１４で表示可能なフォーマットのアナログ映像信号に変換した後、映像表示器１１４に出力して映像表示させるとともに、出力端子２５９を介して外部に導出させる。
【００４２】
また、上記音声処理部２５５は、入力されたデジタルの音声信号を、前記スピーカ１１５で再生可能なフォーマットのアナログ音声信号に変換した後、スピーカ１１５に出力して音声再生させるとともに、出力端子２６０を介して外部に導出させる。
【００４３】
ここで、このデジタルテレビジョン放送受信装置１１１は、上記した各種の受信動作を含むその全ての動作を制御部２６１によって統括的に制御されている。この制御部２６１は、ＣＰＵ（Central Processing Unit）等を内蔵しており、前記操作部１１６からの操作情報を受け、または、リモートコントローラ１１７から送出された操作情報を、前記受光部１１８を介して受信し、その操作内容が反映されるように各部をそれぞれ制御している。
【００４４】
この場合、制御部２６１は、主として、そのＣＰＵが実行する制御プログラムを格納したＲＯＭ（Read Only Memory）２６１ａと、該ＣＰＵに作業エリアを提供するＲＡＭ（Random Access Memory）２６１ｂと、各種の設定情報及び制御情報等が格納される不揮発性メモリ２６１ｃとを利用している。
【００４５】
また、この制御部２６１は、カードＩ／Ｆ（Interface）２６５を介して、前記第１のメモリカード１１９が装着可能なカードホルダ２６６に接続されている。これによって、制御部２６１は、カードホルダ２６６に装着された第１のメモリカード１１９と、カードＩ／Ｆ２６５を介して情報伝送することができる。
【００４６】
さらに、上記制御部２６１は、カードＩ／Ｆ２６７を介して、前記第２のメモリカード１２０が装着可能なカードホルダ２６８に接続されている。これにより、制御部２６１は、カードホルダ２６８に装着された第２のメモリカード１２０と、カードＩ／Ｆ２６７を介して情報伝送することができる。
【００４７】
また、上記制御部２６１は、通信Ｉ／Ｆ２６９を介して第１のＬＡＮ端子１２１に接続されている。これにより、制御部２６１は、第１のＬＡＮ端子１２１に接続されたＬＡＮ対応のＨＤＤ１２５と、通信Ｉ／Ｆ２６９を介して情報伝送することができる。この場合、制御部２６１は、ＤＨＣＰ（Dynamic Host Configuration Protocol）サーバ機能を有し、第１のＬＡＮ端子１２１に接続されたＬＡＮ対応のＨＤＤ１２５にＩＰ（Internet Protocol）アドレスを割り当てて制御している。
【００４８】
さらに、上記制御部２６１は、通信Ｉ／Ｆ２７０を介して第２のＬＡＮ端子１２２に接続されている。これにより、制御部２６１は、第２のＬＡＮ端子１２２に接続された各機器（図１参照）と、通信Ｉ／Ｆ２７０を介して情報伝送することができる。
【００４９】
また、上記制御部２６１は、ＵＳＢ  Ｉ／Ｆ２７１を介して前記ＵＳＢ端子１２３に接続されている。これにより、制御部２６１は、ＵＳＢ端子１２３に接続された各機器（図１参照）と、ＵＳＢ  Ｉ／Ｆ２７１を介して情報伝送することができる。
【００５０】
さらに、上記制御部２６１は、ｉ．ＬＩＮＫ  Ｉ／Ｆ２７２を介してｉ．ＬＩＮＫ端子１２４に接続されている。これにより、制御部２６１は、ｉ．ＬＩＮＫ端子１２４に接続された各機器（図１参照）と、ｉ．ＬＩＮＫ  Ｉ／Ｆ２７２を介して情報伝送することができる。
【００５１】
ところで、この実施形態では、ＨＤＤ１２５に初期登録時のＨＤＤ１２５、ＨＤＤ１２７、コンテンツサーバ１２８、ＤＶＤレコーダ１２９それぞれに割り当てられたストレージＩＤ（ＩＰアドレス、機器名を含む）を記述した登録ファイルを記憶保持している。
【００５２】
また、不揮発性メモリ２６１ｃに、ＨＤＤ１２５、ＨＤＤ１２７、コンテンツサーバ１２８、ＤＶＤレコーダ１２９それぞれのストレージＩＤを記憶している。
また、制御部２６１は、この発明に係わる機能として、ＵＰｎＰを利用した（１）サーバ機器発見機能２６１ｄと、（２）ＵＰｎＰを利用したコンテンツ情報取得機能２６１ｅと、（３）コンテンツアクセス制御機能２６１ｆとを備えている。
【００５３】
（１）制御部２６１は、サーバ機器発見機能２６１ｄにより、ＵＰｎＰのディスカバリ機能を用いてネットワーク上のＵＰｎＰ対応機器を発見する。例えばサーバ機器発見機能２６１ｄは、ＵＰｎＰのディスカバリ機能を用いてコンテンツサーバ１２８を発見する。
【００５４】
（２）制御部２６１は、コンテンツ情報取得機能２６１ｅにより、ＵＰｎＰのコントロール機能を用いてＵＰｎＰ対応機器をコントロールし、ＵＰｎＰ対応機器内のコンテンツをアクセスするために必要なＵＲＩ情報を取得する。例えばコンテンツ情報取得機能２６１ｅは、コンテンツサーバ１２８をコントロールし、コンテンツサーバ１２８内のＨＤＤ等に蓄積されているコンテンツをアクセスするために必要なＵＲＩ情報をコンテンツサーバ１２８から取得する。
【００５５】
（３）制御部２６１は、コンテンツアクセス制御機能２６１ｆにより、サーバ機器発見機能２６１ｄにより取得したサーバ機器のＩＰアドレス情報と、コンテンツ情報取得機能２６１ｅにより取得したＵＲＩ情報から得たＩＰアドレス情報と、デジタルテレビジョン放送受信装置１１１のＬＡＮ端子１２２に割り当てられたＩＰアドレスとネットマスクに基づいてコンテンツへのアクセス可否判定を行う。そして制御部２６１は、アクセス可と判断した場合にはコンテンツアクセスを許可するが、否と判断した場合には許可できない旨を映像表示器１１４にＯＳＤにより表示させる。
【００５６】
次に、ＨＤＤ等の記録媒体へのテレビジョン番組の録画開始時における処理について図３以降の図面を用いて説明する。
図３は、リモートコントローラ１１７のボタンのレイアウトを示す図である。リモートコントローラ１１７は、ユーザによって押下されたボタンに応じた制御信号を赤外線などでデジタルテレビジョン放送受信装置１１１へ出力する。リモートコントローラ１１７は、後述するちょっとタイム機能に用いるちょっとタイムボタン３０１，ＨＤＤ１２５に記録されたコンテンツを操作するための操作ボタン３１０，放送メディアを切り替えるための放送メディア切り替えボタン３２０、チャンネル切り替えのためのチャンネル切り替えボタン３３０等を有している。
【００５７】
図４は、ちょっとタイム録画と称する録画を行うときに、制御部２６１が映像表示器１１４にメッセージを表示するときの動作を示すフローチャートである。
図５乃至図８は、制御部２６１が映像表示器１１４に表示するメッセージを説明するための表示画面の例を示す図である。
ユーザがリモートコントローラ１１７のちょっとタイムボタン３０１を押下すると、デジタルテレビジョン放送受信装置１１１内の制御部２６１はリモートコントローラ１１７からちょっとタイム録画を開始する制御信号を受信する（ステップＳ４０１）。
【００５８】
このリモートコントローラ１１７からの制御信号を受信したデジタルテレビジョン放送受信装置１１１内の制御部２６１は、ユーザが現在視聴している番組をＨＤＤ１２５へ録画する準備を開始すると共に、図５に示すようにちょっとタイム録画の動作を開始したことを示すメッセージ５０１およびちょっとタイム録画の準備中であることを示すメッセージ５０２を映像表示器１１４に表示させる（ステップＳ４０２）。
【００５９】
デジタルテレビジョン放送受信装置１１１内の制御部２６１は、ちょっとタイム録画の準備が整いＨＤＤ１２５へ番組のデータを記録開始したか否かを判断する（ステップＳ４０３）。
【００６０】
もし、ステップＳ４０３で実際の番組データがＨＤＤ１２５へ記録が開始されると、図６に示すようにちょっとタイム録画による番組のデータ記録を開始したことを示すメッセージ６０１を映像表示器１１４に表示させる（ステップＳ４０４）。
【００６１】
次に、デジタルテレビジョン放送受信装置１１１内の制御部２６１は、ちょっとタイム録画中での所謂追っ掛け再生（追い掛け再生。録画と再生を同時に行うタイムシフト処理）の準備が整ったか否かを判断する（ステップＳ４０５）。
【００６２】
もし、ステップＳ４０５でちょっとタイム録画中での、追っ掛け再生の準備が整った場合には、図７に示すように、図６と比較して更にリモートコントローラ１１７のちょっとタイムボタン３０１を押下することによってちょっとタイム録画の頭にもどっての追い掛け再生が可能になったことを追加で示すメッセージ７０１を表示（ステップＳ４０６）する。
【００６３】
そしてステップＳ４０６で表示を行ってから１分経過後（ステップＳ４０６のＹＥＳ）、図８に示すように、図７と比較してメッセージを簡略化した小さな簡略メッセージに切り替えて表示する（ステップＳ４０８）。なお、この簡略メッセージは簡略化せず、単に小さなメッセージにするだけでも本発明の効果を得ることができる。
【００６４】
以上がちょっとタイム録画の録画動作であるが、次にちょっとタイム録画の再生動作について説明する。
ちょっとタイム録画中に上記ステップＳ４０６の表示を行った後に、ユーザがリモートコントローラ１１７のちょっとタイムボタン３０１を押下すると、ちょっとタイム録画の頭にもどっての追い掛け再生を実行する。これにより追い掛け再生が開始される。この再生時には、番組記録時に録画開始されたステップＳ４０４以降の画像が、きちんと再生されることとなる。
【００６５】
以上説明したとおり、本発明によれば、番組記録開始時に、実際に番組データが記録媒体に記録開始された位置を正確に知ることができ、記録時に記録開始のメッセージを表示した位置が必ず再生されるようにすることができる。
【００６６】
（変形例）
なお、ＨＤＤへの記録準備を所定時間（例えば３秒）内に完了するのであれば、上記ステップＳ４０３における判断に代え、例えば図９に示すステップＳ９０３の判断へ代え、上記ステップＳ４０２におけるちょっとタイム録画の動作を開始後（もしくはリモートコントローラ１１７からちょっとタイム録画を開始する制御信号を受信後）から、受信機内部での映像処理に要する遅延を考慮した所定時間時間後（例えば、３秒後）にステップＳ４０４へ移り、図６に示すようにちょっとタイム録画による番組のデータ記録を開始したことを示すメッセージ６０１を映像表示器１１４に表示させるようにしても良い。
【００６７】
なお、上記では受信機内部での映像処理に要する遅延を考慮した所定時間時間後（例えば、３秒後）としたが、ＨＤＤ等の記録媒体の記録準備にも時間を要す場合には、加えて記録媒体への記録準備に要する遅延についても考慮した所定時間時間後としてもよい。
【００６８】
以上のようにしても、番組記録開始時に、実際に番組データが記録媒体に記録開始された位置を正確に知ることができ、記録時に記録開始のメッセージを表示した位置が必ず再生されるようにすることができる。
【００６９】
なお、上記では映像表示器１１４にメッセージで表示したが、これに代え従来と同様ＬＥＤなどでユーザにステップＳ４０４の通知を行うようにしてもよい。
なお、本発明でいうメッセージとは文字に限定しないものである。文字の他、図形やアイコン等によるメッセージとしてもよい。
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。例えば、第１の実施形態と第２の実施形態とを組み合わせ、所望の番組属性として、ジャンル、チャンネルを組みとしたものとしてもよい。
【図面の簡単な説明】
【００７０】
【図１】本発明を適用したデジタルテレビジョン放送受信装置１１１の外観と、このデジタルテレビジョン放送受信装置１１１を中心として構成されるネットワークシステムを説明するための図。
【図２】デジタルテレビジョン放送受信装置１１１の主要な信号処理系を示す図。
【図３】リコーとコントローラ１１７のボタンのレイアウトを示す図。
【図４】ちょっとタイム録画と称する録画を行うときに、制御部２６１が映像表示器１１４にメッセージを表示するときの動作を示すフローチャートである。
【図５】制御部２６１が映像表示器１１４に表示するメッセージを説明するための表示画面の例を示す図。
【図６】制御部２６１が映像表示器１１４に表示するメッセージを説明するための表示画面の例を示す図。
【図７】制御部２６１が映像表示器１１４に表示するメッセージを説明するための表示画面の例を示す図。
【図８】制御部２６１が映像表示器１１４に表示するメッセージを説明するための表示画面の例を示す図。
【図９】ちょっとタイム録画と称する録画を行うときに、制御部２６１が映像表示器１１４にメッセージを表示するときの動作を示すフローチャートである。
【符号の説明】
【００７１】
１１１…デジタルテレビジョン放送受信装置、１１２…キャビネット、１１３…支持台、１１４…映像表示器、１１５…スピーカ、１１６…操作部、１１７…リモートコントローラ、１１８…受光部、１１９…第１のメモリカード、１２０…第２のメモリカード、１２１…第１のＬＡＮ端子、１２２…第２のＬＡＮ端子、１２３…ＵＳＢ端子、１２４…ｉ．ＬＩＮＫ端子、１２５，１２７，１３９…ＨＤＤ、１２６，１３５…ハブ、１２８，１３３…コンテンツサーバ、１２９…ＤＶＤレコーダ、１３０…アナログ伝送路、１３１…ブロードバンドルータ、１３２…ネットワーク、１３４，１３６…携帯電話、１３７…デジタルカメラ、１３８…カードリーダ／ライタ、１４０…キーボード、１４１…ＡＶ−ＨＤＤ、１４２…Ｄ−ＶＨＳ。
【図１】
2008067112.tif 000003
【図２】
2008067112.tif 000004
【図３】
2008067112.tif 000005
【図４】
2008067112.tif 000006
【図５】
2008067112.tif 000007
【図６】
2008067112.tif 000008
【図７】
2008067112.tif 000009
【図８】
2008067112.tif 000010
【図９】
2008067112.tif 000011